(57)【要約】【課題】  袋の注ぎ出し操作性を向上するとともに、注ぎ口の口開き性を向上すること。【解決手段】  第１の胴部シート１と第２の胴部シート２の両側縁部同士を接合してなる袋１０であって、第１の胴部シート１の上縁部に第１の上部シート４を、第２の胴部シート２の上縁部に第２の上部シート５を各々接合すると共に、第１の胴部シート１と第１の上部シート４との接合部および第２の胴部シート２と第２の上部シート５との接合部につまみ部３１を設け、第１の上部シート４と第２の上部シート５の上方を接合し、該接合した部分の一部を開口予定部４Ｃ、５Ｃとしたもの。【選択図】  図１
2006298473.tif 000002
【特許請求の範囲】
【請求項１】
第１の胴部シートと第２の胴部シートの両側縁部同士を接合してなる袋であって、
第１の胴部シートの上縁部に第１の上部シートを、第２の胴部シートの上縁部に第２の上部シートを各々接合すると共に、第１の胴部シートと第１の上部シートとの接合部および第２の胴部シートと第２の上部シートとの接合部につまみ部を設け、
第１の上部シートと第２の上部シートの上方を接合し、該接合した部分の一部を開口予定部とした袋。
【発明の詳細な説明】
【技術分野】
【０００１】
本発明は詰替用パウチ等の袋に関する。
【背景技術】
【０００２】
詰替用パウチ等の袋として、特許文献１に記載のものがある。特許文献１に記載の袋は、第１と第２の胴部シートの下縁部の間に、ガセット折込部を有して折り込まれる底部シートの周縁部を接合し、第１と第２の胴部シートの上縁部の間に、ガセット折込部を有して折り込まれる天部シートの周縁部を接合し、第１と第２の胴部シートの両側縁部同士を接合する。そして、天部シートの両側縁部を上方に向けて狭巾とする突出状にし、この突出部の上部にプラスチック成形体よりなる注出口を設けている。
【特許文献１】特開2001-213443
【発明の開示】
【発明が解決しようとする課題】
【０００３】
特許文献１の袋によれば、底部シートと天部シートの両ガセット折込部の存在により胴部がシワの発生を抑制した筒状体になり、袋の体積効率が良くなるし、袋の胴部中心線上にロート形状の注ぎ口を開いてその口開き性を向上できる。
【０００４】
しかしながら、袋のサイドシール部とトップシール部に挟まれる上角部に注ぎ口を形成し、高剛性の当該サイドシール部を手で下から支えて内容物を注ぎ出し可能にすることにより、注ぎ出し操作性を向上可能にする袋において、特許文献１の胴部シートと天部シートからなるものを利用しようとしても、袋の胴部中心線上でない上角部の天部シートをスムーズに筒状に開いて立体的な注ぎ口を形成することに困難がある。
【０００５】
本発明の課題は、袋の注ぎ出し操作性を向上するとともに、注ぎ口の口開き性を向上することにある。
【課題を解決するための手段】
【０００６】
請求項１の発明は、第１の胴部シートと第２の胴部シートの両側縁部同士を接合してなる袋であって、第１の胴部シートの上縁部に第１の上部シートを、第２の胴部シートの上縁部に第２の上部シートを各々接合すると共に、第１の胴部シートと第１の上部シートとの接合部および第２の胴部シートと第２の上部シートとの接合部につまみ部を設け、第１の上部シートと第２の上部シートの上方を接合し、該接合した部分の一部を開口予定部としたものである。
【発明を実施するための最良の形態】
【０００７】
（実施例１）（図１、図２）
軟質自立袋１０は、図１、図２に示す如く、第１と第２の２枚のプラスチックラミネートシート等の胴部シート１、２と、１枚のプラスチックラミネートシート等の底部シート３と、第１と第２の２枚のプラスチックラミネートシート等の天部シート（上部シート）４、５とからなる。第１と第２の胴部シート１、２は、図２（Ａ）、（Ｂ）に示す如く、同一形状をなし、その上辺につまみ予定部１Ｂ、２Ｂを有する。底部シート３は、図２（Ｃ）に示す如く、巾方向の中央部に設けたガセット折込部３Ａを有する。第１と第２の天部シート４、５は、図２（Ｄ）、（Ｅ）に示す如く、同一形状をなし、ガセット折込部４Ａ、５Ａ、つまみ予定部４Ｂ、５Ｂ、注ぎ口予定部（開口予定部）４Ｃ、５Ｃを有する。
【０００８】
袋１０は、第１と第２の胴部シート１、２の下縁部の間に、底部シート３の周縁部を熱融着等により接合し、ボトムシール部１１を形成する。底部シート３は、ガセット折込部３Ａで折り込まれる。
【０００９】
袋１０は、第１と第２の胴部シート１、２の左右の両側縁部同士を熱融着等により接合し、左右両側のサイドシール部１２Ａ、１３Ａを形成する。
【００１０】
袋１０は、第１と第２の胴部シート１、２の上縁部の間に、第１と第２の天部シート４、５の周縁部を下記(1)〜(4)の如くに接合する。
【００１１】
(1)第１天部シート４のガセット折込部４Ａに対する一方側に定めた下縁部と、第１胴部シート１の上縁部とを第１中間シール部１４にて熱融着等により接合する。
【００１２】
(2)第２天部シート５のガセット折込部５Ａに対する一方側に定めた下縁部と、第２胴部シート２の上縁部とを第２中間シール部１５（不図示）にて熱融着等により接合する。
【００１３】
(3)第１と第２の天部シート４、５の各ガセット折込部４Ａ、５Ａに対する他方側に定めた上縁部同士をトップシール部１６にて熱融着等により接合する。
【００１４】
(4)第１と第２の天部シート４、５の左右で相対する側縁部同士をサイドシール部１２Ｂ、１３Ｂにて熱融着等により接合する。
【００１５】
袋１０は、第１天部シート４と第２天部シート５の、注ぎ口予定部４Ｃ、５Ｃが形成し、サイドシール部１２Ｂとトップシール部１６に挟まれる上角部を注ぎ口形成部２０とする。袋１０は、シール部１１、１２Ａ、１２Ｂ、１３Ａ、１３Ｂ、１４、１５、１６によって囲まれる液収容部３０を封止する。尚、袋１０は、シール部１１〜１５の接合後のトップシール部１６の接合前段階で液収容部３０に内容液を充填する。また、袋１０の使用時に、注ぎ口形成部２０の先端部をここに表示したカット線に沿って切断し、小径尖り状の注ぎ口を形成する。
【００１６】
袋１０は、第１胴部シート１と第１天部シート４の第１中間シール部１４、第２胴部シート２と第２天部シート５の第２中間シール部１５のそれぞれの略中央部に、つまみ予定部４Ｂ、５Ｂが形成するつまみ部３１、３２（不図示）を有する。つまみ部３１、３２は、図の如くシール部が袋の外部に向かって凸に形成されたものである。
【００１７】
袋１０にあっては、内容液を取り出す時に、注ぎ口形成部２０の先端部をカット線に沿って切断し、小径尖り状の注ぎ口を形成する。このとき、つまみ部３１、３２をつまんで外側に引くことで形成された注ぎ口が確実に開く。
【図面の簡単な説明】
【００１８】
【図１】図１は実施例１の袋を示す側面図である。
【図２】図２は袋の構成部品を示し、（Ａ）は第１胴部シートを示す正面図、（Ｂ）は第２胴部シートを示す正面図、（Ｃ）は底部シートを示す正面図、（Ｄ）は第１天部シートを示す正面図、（Ｅ）は第２天部シートを示す正面図である。
【符号の説明】
【００１９】
１０  袋
１、２  胴部シート
３  底部シート
４、５  天部シート（上部シート）
４Ａ、５Ａ  ガセット折込部
４Ｃ、５Ｃ  注ぎ口予定部（開口予定部）
３１  つまみ部
【図１】
2006298473.tif 000003
【図２】
2006298473.tif 000004